(57)【要約】      （修正有）【課題】進相化を回避し、素子の過酷負担の弊害を除く。【解決手段】各スイッチング素子３１・３２の接続交点に接続される交流負荷回路５０を備える。交流負荷回路５０は放電灯５１とそれに直列のバラスト用インダクタ５２を含む回路である。第一スイッチング素子３１を介して交流負荷回路５０に順方向電流を供給するコンデンサ７２を備える。第二スイッチング素子３２を介して交流負荷回路５０に逆方向電流を供給するコンデンサ７３を備える。短オン傾向（オン期間が相対的に短い傾向）の第一スイッチング素子３１に対応する側に小容量コンデンサ７２を配置し、長オン傾向（オン期間が相対的に長い傾向）の第二スイッチング素子３２に対応する側に大容量コンデンサ７３を配置し、進相化を回避して第一スイッチング素子３１のターンオン時におけるフライホイールダイオード４２との同時導通による素子の過酷負担の弊害を除く。【選択図】  図１
2004158417.tif 000002
【特許請求の範囲】
【請求項１】
交流電源電圧を整流する整流形電源回路を備え、前記整流形電源回路の出力端子間に接続される順直列一対の第一スイッチング素子・第二スイッチング素子を備え、前記第一スイッチング素子に短いオン期間を形成し前記第二スイッチング素子に長いオン期間を形成するようにそれらを交互にオンオフさせる制御回路を備え、前記各スイッチング素子と逆並列に接続するフライホイールダイオードを備え、前記各スイッチング素子の接続交点に接続される交流負荷回路を備え、前記交流負荷回路は放電灯とそれに直列のバラスト用インダクタを含む回路であり、前記第一スイッチング素子を介して前記交流負荷回路に順方向電流を供給する大小容量の第一コンデンサを備え、前記第二スイッチング素子を介して前記交流負荷回路に逆方向電流を供給する大容量の第二コンデンサを備えたことを特徴とする放電灯調光装置。
【発明の詳細な説明】
【０００１】
【発明の属する技術分野】
本発明はデュティ調整を行う放電灯調光装置に関するものである。
【０００２】
【従来の技術】
図２は実用化されている放電灯調光装置である。これについて説明する。図２装置は交流電源１１電圧を整流する整流形電源回路１０を備える。整流形電源回路１０の出力端子間に接続される順直列一対の第一スイッチング素子３１・第二スイッチング３２素子を備える。第一スイッチング素子３１に短いオン期間を形成し第二スイッチング素子３２に長いオン期間を形成するようにそれらを交互にオンオフさせる制御回路２０を備える。各スイッチング素子３１・３２と逆並列に接続するフライホイールダイオード４１・４２を備える。各スイッチング素子３１・３２の接続交点に接続される交流負荷回路５０を備える。交流負荷回路５０は故電灯５１とそれに直列のバラスト用インダクタ５２を含む回路である。第一スイッチング素子３１を介して交流負荷回路５０に順方向電流を供給するコンデンサ８２を備える。第二スイッチング素子３２を介して交流負荷回路５０に逆方向電流を供給するコンデンサ８３を備える。
説明を補足する。１２〜１５は整流電源回路１０に属する整流用ダイオードである。第一スイッチング素子３１に長いオン期間を形成し第二スイッチング素子３２に短いオン期間を形成しても同効であるが、説明の便宜上ここではこれと逆の傾向とする。５は蛍光ランプであり、その非電源側端子間に接続する予熱用コンデンサ５３が付属する。８１は直流成分阻止用コンデンサであり、例えば順方向電流（右向き電流）よりも逆方向電流（左向き電流）が優勢である場合は、図示のごとく充電し、直流成分電流のさらなる継続を阻止する。直流成分阻止用コンデンサ８１は省略可能である。その場合の直流成分阻止用コンデンサ８１電圧は、コンデンサ８１・８２電圧の差分となる。各スイッチング素子３１・３２のオン期間がアンバランスであって、前者が短オン後者が長オンの傾向となるために、順方向電流（右向き電流）Ｉ１が劣勢となり、逆方向電流（左向き電流）Ｉ２が優勢となり、直流成分阻止用コンデンサ８１が図示極性に充電される。そのような定常状態下で調光点灯が継続する。第二スイッチング素子３２は電流Ｉ２を余計に流そうとし、直流成分阻止用コンデンサ８１は流すまいとし、その微妙なバランスの下で安定する。
【０００３】
【発明が解決しようとする課題】
図２装置は、第一スイッチング素子３１が短オン傾向、第二スイッチング素子３２が長オン傾向となるためにデュティを広範に調整すると、第一スイッチング素子３１ターンオン時に進相化の弊害が生じ、第一スイッチング素子３１とフライホイールダイオード４２が同時導通の傾向となり、素子負担が過酷となる。本発明の目的は、進相化を回避し、素子の過酷負担の弊害を除くことである。
【０００４】
【課題を解決するための手段】
本発明は、交流電源電圧を整流する整流形電源回路を備える。前記整流形電源回路の出力端子間に接続される順直列一対の第一スイッチング素子・第二スイッチング素子を備える。前記第一スイッチング素子に短いオン期間を形成し前記第二スイッチング素子に長いオン期間を形成するようにそれらを交互にオンオフさせる制御回路を備える。前記各スイッチング素子と逆並列に接続するフライホイールダイオードを備える。前記各スイッチング素子の接続交点に接続される交流負荷回路を備える。前記交流負荷回路は放電灯とそれに直列のバラスト用インダクタを含む回路である。前記第一スイッチング素子を介して前記交流負荷回路に順方向電流を供給する小容量のコンデンサを備える。前記第二スイッチング素子を介して前記交流負荷回路に逆方向電流を供給する大容量のコンデンサを備える。
本発明は短オン傾向（オン期間が相対的に短い傾向）の前記第一スイッチング素子に対応する側に小容量コンデンサを配置し、長オン傾向（オン期間が相対的に長い傾向）の前記第二スイッチング素子に対応する側に大容量コンデンサを配置し、進相化を回避する。
【０００５】
【発明の実施の形態】
図１を用いて本発明の実施形態について説明する。図１の放電灯調光装置は、交流電源１１電圧を整流する整流形電源回路１０を備える。整流形電源回路１０の出力端子間に接続される順直列一対の第一スイッチング素子３１・第二スイッチング素子３２を備える。第一スイッチング素子３１に短いオン期間を形成し第二スイッチング素子３２に長いオン期間を形成するようにそれらを交互にオンオフさせる制御回路２０を備える。各スイッチング素子３１・３２と逆並列に接続するフライホイールダイオード４１・４２を備える。各スイッチング素子３１・３２の接続交点に接続される交流負荷回路５０を備える。交流負荷回路５０は放電灯５１とそれに直列のバラスト用インダクタ５２を含む回路である。第一スイッチング素子３１を介して交流負荷回路５０に順方向電流を供給する小容量のコンデンサ７２を備える。第二スイッチング素子３２を介して交流負荷回路５０に逆方向電流を供給する大容量のコンデンサ７３を備える。
【０００７】
説明を補足する。１２〜１５は整流電源回路１０に属する整流用ダイオードである。５１は蛍光ランプであり、その非電源側端子間に接続する予熱用コンデンサ５３が付属する。８１は直流成分阻止用コンデンサであり、定常状態では図示の電圧極性となる。
【０００８】
図１装置の主な動作について説明する。第一スイッチング素子３１のオン期間に順方向電流円が流れる。この時、第一スイッチング素子３１は短オン傾向であるため、第一スイッチング素子３１オン期間中に順方向電流Ｉ１が収束し、フライホイールダイオード４１を介して逆方向電流が流れだすことはない。次に第二スイッチング素子３２のオン期間に逆方向電流Ｉ２が流れる。この時、コンデンサ７３は大容量であるため、第二スイッチング素子３２オン期間中に逆方向電流Ｉ２が収束し、フライホイールダイオード４２を介して順方向電流が流れだすことはない。これにより、デュティを広範に可変して深調光点灯をしても進相化を回避できる。
【０００８】
【発明の効果】
本発明は短オン傾向（オン期間が相対的に短い傾向）の第一スイッチング素子に対応する側に小容量コンデンサを配置し、長オン傾向（オン期間が相対的に長い傾向）の第二スイッチング素子に対応する側に大容量コンデンサを配置したものである。これによれば、進相化を回避し、スイッチング素子の過酷負担の弊害を除くことができる。
【図面の簡単な説明】
【図１】本発明に係る放電灯調光装置の回路図である。
【図２】従来の放電灯調光装置を示す回路図である。
【符号の説明】
１１：交流電源
１０：整流形電源回路
３１：第一スイッチング素子
３ス：第二スイッチング素子
２０：制御回路
４１：フライホイールダイオード
４２：フライホイールダイオード
５０：交流負荷回路
５１：放電灯
５２：バラスト用インダクタ
７２：コンデンサ
７３：コンデンサ
【図１】
2004158417.tif 000003
【図２】
2004158417.tif 000004